(57)【特許請求の範囲】
【請求項１】
床面とドア下縁との隙間に介在させたときにドア下縁に圧接する傾斜面を有して、ドアを開放状態に維持するための側面視したくさび部と、
このくさび部の基端部との間に境界部を有し、ドア側面とドア枠との間に介在されてドアを所定角度以上の開放状態に維持するための側面視してくさび部側に向く角度θを有した略三角形状のヒンジ用挟持部と、
このヒンジ用挟持部の反くさび部側に境界部を有し、ドアのヒンジに掛止したときに前記ヒンジ用挟持部をドア側面とドア枠との間に介在させるフック部と、を弾性材料で一体成形して備え、
前記くさび部は、床面とドア下縁との隙間に底面を床面に対向させて介在させたとき、前記基端部のヒンジ用挟持部との境界部の厚みがヒンジ用挟持部よりも小さいことにより、底面が床面に接しないようにした
ことを特徴とするドアストッパー。
【請求項２】
フック部は、ドアノブやドアレバーの軸部に掛止することが可能に形成されている請求項１記載のドアストッパー。
【発明の詳細な説明】
【０００１】
【発明の属する技術分野】
本発明は、ドアを開放状態に維持するためのドアストッパーであり、主として、常時閉じる方向に付勢されているスィングドアを開放状態に維持するためのドアストッパーに関するものである。
【０００２】
【従来の技術】
この種のドアストッパーとしては、例えば図９に示す従来例のように、ドア１１の上方に取付けられたドアクローザ等の付勢手段（図示せず）によって、常時閉じる方向に付勢されているスィングドア１１に用いられるくさび形状のものが広く用いられている。
【０００３】
このドアストッパー１５は、室内の換気等のためにドア１１を開放したときに、ドア１１が閉まってしまったり、閉まったドアの側面１１ｂとドア枠１２との隙間で幼児が指詰めしないように、ドア１１を開放状態に維持するために用いられる。つまり、くさび形状のドアストッパー１５をドア下縁１１ａと床面１４との隙間に、傾斜面１５ａの高い側を閉じ方向側に位置させて差し込むことにより、ドア１１が閉じ方向に戻ろうとする力より、ドアストッパー１５を介してドア１１が床面１４を押す力が大きくなることによってくさび効果を発揮させ、ドア１１を開放状態に維持している。
【０００４】
【発明が解決しようとする課題】
ところが上記従来例では、ドアストッパー１５がドア１１の閉まろうとする力に負けて床面１４を滑って動いた場合、付勢力の強いスィングドアでは即座に閉まってしまったり、前述のように幼児が指詰めするおそれがあった。
【０００５】
またドアストッパー１５の差し込み位置がドア１１の下端にあるので、身をかがめての差し込み動作が必要であって取扱いにくいという問題もある。
【０００６】
更にドアストッパー１５を使用していないときは、ドア１１付近の床面の隅に置いたりしているが、頻繁に使用するケースではすぐに準備できず使用に不便であるという問題もあった。
【０００７】
そこで本発明は、使用目的や使い勝手、ドアの構造等に対応して２つの使用方法が選択可能で、且つ使用方法の異なる２個を同時使用することにより安全に使用でき、不使用時には適所に掛止して保管することができ使用に便利なドアストッパーを提供することを目的とする。
【０００８】
【課題を解決するための手段】
本発明は上記目的を達成するために、床面とドア下縁との隙間に介在させたときにドア下縁に圧接する傾斜面を有して、ドアを開放状態に維持するための側面視したくさび部と、このくさび部の基端部との間に境界部を有し、ドア側面とドア枠との間に介在されてドアを所定角度以上の開放状態に維持するための側面視してくさび部側に向く角度θを有した略三角形状のヒンジ用挟持部と、このヒンジ用挟持部の反くさび部側に境界部を有し、ドアのヒンジに掛止したときに前記ヒンジ用挟持部をドア側面とドア枠との間に介在させるフック部と、を弾性材料で一体成形して備え、前記くさび部は、床面とドア下縁との隙間に底面を床面に対向させて介在させたとき、前記基端部のヒンジ用挟持部との境界部の厚みがヒンジ用挟持部よりも小さいことにより、底面が床面に接しないようにしたことを特徴とすることを特徴とする。
【０００９】
本発明によれば、くさび部の傾斜面の高い側を、例えば常時閉じ方向に付勢されているドアの閉じ方向側に位置させてドア下縁と床面との隙間に差し込んだ場合には、その傾斜面がドア下縁に圧接して、ドアが閉じ方向に戻ろうとする力より、ドアストッパーを介してドアが床面を押す力が大きくなるくさび効果により、ドアを半開ないし全開の開放状態に維持することができる。特に、くさび部は、床面とドア下縁との隙間に底面を床面に対向させて介在させたとき、前記基端部のヒンジ用挟持部との境界部の厚みがヒンジ用挟持部よりも小さいことにより、底面が床面に接しないので、ドア下縁と床面との間に挟み込まれて傾斜面がドア下縁に押圧されることにより下方に撓んでその先端部分で床面に圧接する働きができる。
【００１０】
また、フック部をドアのヒンジに掛止して、ヒンジ用挟持部をドア側面とドア枠との間に介在させた場合には、その介在位置でヒンジ用挟持部が形成する所定角度以上にドアを開放状態に維持することができる。つまり、ドアが閉まろうとしても所定角度で止めることができそれ以上は閉まらない（常時閉じる方向に付勢されているドアの場合にはちょうど前記所定角度にて、ドアストッパーがドア側面とドア枠との間に挟持され、その角度の開放状態に固定することができる。）。このようにヒンジ位置で動作できるので、身をかがめて差し込む動作が不要でなるので使い勝手が良く、極めて簡単な動作で使用することができる。
【００１１】
このように本発明では、くさび部をドア下縁と床面との隙間に差し込む方法と、フック部をヒンジに掛止してヒンジ用挟持部をドア側面とドア枠との間に介在させる方法との２つの使用方法があるが、ドアストッパー２個で各使用方法を用いた場合は、くさび部を利用したドアストッパーが万一外れたり、くさび効果の低下により床面を滑ったりしてドアが閉まろうとしても、ヒンジ用介在部がドアが閉まってしまうのを阻止することができるので、安全に使用できる。また、ドアストッパーの使用目的や使い勝手、ドアの構造等に対応して、いずれか一方を選択して用いることも可能であるので使用の幅が広がり、使用に便利になる。
【００１２】
また、フック部はヒンジに引っ掛けるためのものであるが、不使用時にはそのフック部をドア付近の適所（形状や材質によってはドアノブやドアレバーの軸部に掛止することが可能）に掛止して保管することもでき、また請求項２記載のように、フック部を、ドアノブやドアレバーの軸部に掛止することが可能に形成することによれば、ドアノブやドアレバーの軸部に容易に掛止して保管することができ、頻繁に使用するケースではすぐに準備できると共に身をかがめる必要がないのでこの点においても取扱い易くなり、使用に非常に便利になる。
【００１３】
【発明の実施の形態】
本発明のドアストッパーの実施形態について図１〜図８を参照しながら具体的に説明する。尚、くさび部を利用する上では図９に示した従来例と同様であるので同符号で説明する。本実施形態では、ドアストッパーを、常時閉じる方向に付勢されているスィングドアに用いたときの例で示している。
【００１４】
第１実施形態のドアストッパー１は図１の外観斜視図、図２の平面図、図３の側面図で示すように、床面１４に対向する底面２ａとドア下縁１１ａに圧接する傾斜面２ｂとを有し、くさび状に形成されたくさび部２と、ドア１１のヒンジ１３（図４）に掛止することが可能なフック部３と、このフック部３を図４に示すようにドア１１のヒンジ１３に掛止したときに、ドア側面１１ｂとドア枠５との間で介在され、ドア１１を所定角度の開放状態に維持するためのヒンジ用挟持部４とから構成される。
【００１５】
上記ドアストッパー１は表面の摩擦係数が比較的大きいゴムや合成樹脂等の弾性材料で一体成形すると、くさび部２の傾斜面２ｂとドア下縁１１ａとの圧接状態やフック部３のヒンジ１３への掛止あるいはドアノブ等への掛止状態が良好になり好適である。尚、図示はしていないが、ドアストッパー１の厚肉部の適所に貫通孔を開設すれば、成形材料の冷却時のひけ防止を図ることができる。
【００１６】
上記ドアストッパー１を利用してドア１１を開放状態に維持する方法としては以下の２つの方法がある。
【００１７】
まず、くさび部２を利用してドア１１を開放状態に維持する場合には、図３に示すようにくさび部２を、傾斜面２ｂの高い側をドア１１の閉じ方向Ａ側に位置させてドア下縁１１ｂと床面１４との隙間に差し込む。すると、傾斜面２ｂがドア下縁１１ａに圧接し、仮想線で示すようにくさび部２が下方に撓んでその先端部分が床面１４に圧接し、ドア１１が図示しない付勢手段によって閉じる方向Ａに戻ろうとする力より、ドアストッパー１５を介してドア１１が床面１４を押す力が大きくなることによってくさび効果が発揮され、ドア１１を半開ないし全開の開放状態に維持することができる。
【００１８】
第１実施形態のくさび部２について、側面視した状態での基端部の厚みは、境界部のヒンジ用挟持部４の厚みのほぼ１／２程度であり、床面１４に置いたときには底面２ａが床面１４に接していないが、ドア下縁１１ａと床面１４との間にくさび部２が挟み込まれ、傾斜面２ｂがドア下縁１１ａに押圧されることにより下方に撓んでその先端部分で床面１４に圧接するようになる。尚、くさび部２の底面２ａ全体が床面１４に接触するように形成する（くさび部２の基端部の厚みをヒンジ用挟持部４の境界部の厚みと一致させる）ことも可能であるが、第１実施形態のように形成した方が撓み力を利用できるし、成形材料を少なくすることができコストを抑えることができるので好適である。
【００１９】
一方、くさび部２でなくヒンジ用挟持部４を利用してドア１１を開放状態に維持する場合には、図４に示すように、フック部３をドア側面１１ｂとドア枠１２との隙間５に上方から挿入し、ドア１１のヒンジ１３に掛止する。すると、図３における側面部分がちょうど上方を向いた状態で、ヒンジ用挟持部４がドア側面１１ｂとドア枠１２との間に挟持され、ドア１１は、ヒンジ用介在部４の側面視略三角形状の角度θで開放状態に固定される。尚、付勢手段を持たないドアの場合には、所望の角度に開いたドア１１の側面１１ｂとドア枠１２との間に介在させておき、ドア１１が衝撃を受けて閉まろうとしても前記角度θで止めることができそれ以上は閉まらない。つまり、ドア１１を角度θ以上の開放状態に維持することができる。このように、ヒンジ用挟持部４を利用した場合は、身をかがめてドア１１の下端に差し込む動作が不要であるので使い勝手が良く、極めて簡単な動作で使用することができる。
【００２０】
以上のように上記第１実施形態では、くさび部２をドア下縁１１ａと床面１４との隙間に差し込む方法と、ヒンジ用挟持部４をヒンジ１３部分でドア側面１１ｂとドア枠１２との間に介在させる方法との２つの使用方法があるが、２つのドアストッパーで各使用方法を同時に用いた場合は、くさび部２を利用したドアストッパー１が万一外れたり、くさび効果の低下等により床面１４を滑ったりしてドア１１が閉まろうとしても、ヒンジ用挟持部４がドアが閉まってしまうのを阻止することができるので、安全に使用できる。また、ドアストッパー１の使用目的や使い勝手、ドア１１の構造等を考慮して何れか一方を選択して用いることも可能であるので、使用の幅が広がり使用に便利になる。
【００２１】
また、フック部３はヒンジ１３に引っ掛けるためのものであるが、第１実施形態はドアストッパー１全体をゴムや合成樹脂等の弾性材料で成形しているので、その弾性力を利用して、不使用時には図５と図６に示すように、フック部３をドアノブやドアレバー９の軸部９ａ等に掛止して保管することができる。
【００２２】
図７と図８は本発明の第２実施形態を示している。このドアストッパー２１は、傾斜面７ｂを有するくさび部７とフック部８とヒンジ用挟持部６とを備えた基本的構成は第１実施形態と同様であるが、くさび部７の底面７ａやヒンジ用挟持部６の厚みや形状、フック部８の形状が異なっている。つまり、第１実施形態のヒンジ用挟持部４は、フック部２の底面２ａに連続しない側面視略三角形状であり、ドアストッパー２１を床面１４に置いたときに底面２ａと床面１４とに隙間があったが、第２実施形態のヒンジ用挟持部６は図８（ｂ）に示すように、その底面にくさび部７の底面７ａが面一になって床面１４に接する形状に形成されている。第２実施形態のドアストッパー２１の材質は、くさび部７の撓みを必要としないので、ゴムや合成樹脂等のほか木や金属であっても良い。またフック部８に円弧部８ａが形成されているので、比較的硬質材料で形成していても、ドアノブやドアレバー９等の軸部９ａへ無理なく掛止して保管することができ、頻繁に使用するケースではすぐに準備できると共に身をかがめる必要がないのでこの点においても取扱いやすくなり、使用に非常に便利になる。
【００２３】
本発明は上記実施形態に示すほか種々の態様に構成することができ、例えば、くさび部ないしヒンジ用挟持部とフック部を利用して、ドアを開放状態に維持できるものである限り、それらの形状は上記実施形態に示すものに限定されない。
【００２４】
【発明の効果】
本発明のドアストッパーによれば、ドア下縁と床面との間にくさび部を差し込む方法とドア側面とドア枠との間にヒンジ用挟持部を介在させる極めて簡単な動作で使い勝手の良い方法との２つの使用方法が選択可能で、且つ２個で各使用方法を同時に用いることにより安全に使用できると共に、フック部の材質や形状によっては不使用時にドアノブ等の適所に掛止して保管することも可能になるので使用に便利になる。特に、くさび部は、床面とドア下縁との隙間に底面を床面に対向させて介在させたとき、前記基端部のヒンジ用挟持部との境界部の厚みがヒンジ用挟持部よりも小さいことにより、底面が床面に接しないので、ドア下縁と床面との間に挟み込まれて傾斜面がドア下縁に押圧されることにより下方に撓んでその先端部分で床面に圧接する働きができる。
【図面の簡単な説明】
【図１】本発明の第１実施形態のドアストッパーを示す外観斜視図。
【図２】同実施形態のドアストッパーを示す平面図。
【図３】同実施形態のドアストッパーにおける一使用状態を示す側面図。
【図４】同実施形態のドアストッパーにおける別な使用状態を示す斜視図。
【図５】同実施形態のドアストッパーの不使用時の掛止状態を示す側面図。
【図６】同実施形態のドアストッパーの不使用時の掛止状態を示す斜視図。
【図７】本発明の第２実施形態のドアストッパーを示す斜視図。
【図８】同実施形態のドアストッパーを示し、（ａ）は平面図、（ｂ）は側面図。
【図９】従来のドアストッパーの使用状態を示す説明図。
【符号の説明】
１、２１  ドアストッパー
２、７  くさび部
２ｂ、７ｂ  傾斜面
３、８  フック部
４、６  ヒンジ用挟持部
８ａ  円弧部
９  ドアレバー
９ａ  ドアレバーの軸部
１１  ドア
１１ａ  ドア下縁
１１ｂ  ドア側面
１２  ドア枠
１３  ヒンジ
【図１】
0004383645.tif 000002
【図２】
0004383645.tif 000003
【図３】
0004383645.tif 000004
【図４】
0004383645.tif 000005
【図５】
0004383645.tif 000006
【図６】
0004383645.tif 000007
【図７】
0004383645.tif 000008
【図８】
0004383645.tif 000009
【図９】
0004383645.tif 000010